(57)【要約】【課題】ヘッドを特殊な形状とすることなく、重心位置を変更することができるようにしたゴルフクラブヘッドを提供する。【解決手段】ソール部に凹部１６が設けられた中空ヘッド本体１２と、凸壁２８、３０、３２により仕切られた複数のウエイト装着室３４を有し、ヘッド本体の凹部内に配置可能な重心特性調整部材２０と、重心特性調整部材のウエイト装着室に着脱可能に装着されるウエイト部材３６と、重心特性調整部材を任意の回転位置でヘッド本体に固定する固定部材３８とを具備するゴルフクラブヘッド１０とする。そして、ウエイト部材を装着するウエイト装着室の選定、ウエイト装着室に装着するウエイト部材の重量の選定、ヘッド本体に固定する重心特性調整部材の回転位置の選定を適宜行うことにより、重心位置およびヘッド重量の変更を行う。【選択図】図１
2011005167.tif 000002
【特許請求の範囲】
【請求項１】
ソール部に凹部が設けられた中空ヘッド本体と、
前記ヘッド本体の凹部の中央部と周壁部の一部との間に配置される板状の重心特性調整部材と、
前記重心特性調整部材を任意の回転位置で前記ヘッド本体に固定する固定部材と
を具備することを特徴とするゴルフクラブヘッド。
【請求項２】
前記重心特性調整部材は、前記ヘッド本体の凹部の中央部に対応する箇所にネジ挿入穴を有し、
前記固定部材は、軸部の外周にネジ山が形成された雄ネジであり、
前記ヘッド本体の凹部の中央部には雌ネジ部が形成されており、
重心特性調整部材をヘッド本体の凹部内に配置し、前記雄ネジの軸部を前記ネジ挿入穴に通して前記雌ネジ部に螺合することにより、重心特性調整部材を任意の回転位置でヘッド本体に固定することを特徴とする請求項１に記載のゴルフクラブヘッド。
【請求項３】
前記ヘッド本体および重心特性調整部材の一方に設けられた突起、他方に設けられた前記突起と係合する係合溝により、ヘッド本体に固定した重心特性調整部材の回転防止機構が形成されていることを特徴とする請求項１または２に記載のゴルフクラブヘッド。
【請求項４】
前記ヘッド本体のソール部に設けられた凹部の裏面にリブが形成されていることを特徴とする請求項１〜３のいずれか１項に記載のゴルフクラブヘッド。
【発明の詳細な説明】
【技術分野】
【０００１】
本発明は、重心位置を変更することが可能な中空ゴルフクラブヘッドに関する。
【背景技術】
【０００２】
従来、重心位置を変更することが可能なゴルフクラブヘッドとして、特許文献１のものが提案されている。特許文献１のゴルフクラブヘッドは、ヘッドの打球面の裏側に少なくともボール相当の直径を有する凹部を設け、上記凹部内にて内外方向へ移動させることによってヘッドの重心位置を変化させる可動錘を設けたものである（請求項１）。
【先行技術文献】
【特許文献】
【０００３】
【特許文献１】特開２００６−１０１９１８号公報
【発明の概要】
【発明が解決しようとする課題】
【０００４】
しかし、特許文献１のゴルフクラブヘッドは、ヘッドの打球面の裏側にボール相当の直径を有する凹部を設け、上記凹部内に可動錘を設けたものであるため、ヘッドが特殊な形状となるという問題点があった。
【０００５】
本発明は、上記事情に鑑みてなされたもので、ヘッドを特殊な形状とすることなく、重心位置を変更することができるようにしたゴルフクラブヘッドを提供することを目的とする。
【課題を解決するための手段】
【０００６】
本発明は、前記目的を達成するため、
ソール部に凹部が設けられた中空ヘッド本体と、
前記ヘッド本体の凹部の中央部と周壁部の一部との間に配置される板状の重心特性調整部材と、
前記重心特性調整部材を任意の回転位置で前記ヘッド本体に固定する固定部材と
を具備することを特徴とするゴルフクラブヘッドを提供する。
【０００７】
本発明のゴルフクラブヘッドは、中空ヘッド本体のソール部に凹部を設け、この凹部内に配置した板状の重心特性調整部材を任意の回転位置でヘッド本体に固定することにより、重心位置の変更を行うものであるため、ヘッドを特殊な形状とすることなく、重心位置を変更することが可能である。
【０００８】
本発明のゴルフクラブヘッドは、より具体的には、
前記重心特性調整部材は、前記ヘッド本体の凹部の中央部に対応する箇所にネジ挿入穴を有し、
前記固定部材は、頭部と軸部を有し、前記軸部の外周にネジ山が形成された雄ネジであり、
前記ヘッド本体の凹部の中央部には雌ネジ部が形成されており、
重心特性調整部材をヘッド本体の凹部内に配置し、前記雄ネジの軸部を前記ネジ挿入穴に通して前記雌ネジ部に螺合することにより、重心特性調整部材を任意の回転位置でヘッド本体に固定するように構成することができる。
【０００９】
また、本発明のゴルフクラブヘッドは、前記ヘッド本体および重心特性調整部材の一方に設けられた突起、他方に設けられた前記突起と係合する係合溝により、ヘッド本体に固定した重心特性調整部材の回転防止機構が形成されている構成とすることができる。これにより、スイング時などにヘッド本体に固定した重心特性調整部材が回転することを防止することができる。
【００１０】
さらに、本発明のゴルフクラブヘッドは、ヘッド本体のソール部に設けられた凹部の裏面（中空部側の面）にリブが形成されている構成とすることができる。このようにすると、上記リブの作用により、インパクト時におけるヘッドの打球音を改善することができる。すなわち、ヘッド本体のソール部に設けられた凹部の底はほぼ平面状となるため、打球時にヘッドの変形によって低い打球音が出やすいが、上記リブによりヘッドの剛性を高めることによって、打球音を改善することができる。
【発明の効果】
【００１１】
本発明のゴルフクラブヘッドは、ヘッドを特殊な形状とすることなく、重心位置を変更することが可能である。
【図面の簡単な説明】
【００１２】
【図１】本発明に係るゴルフクラブヘッドの一実施形態を示すソール側から見た底面図である。
【図２】図１Ａ−Ａ線に沿った断面図である。
【図３】（ａ）は重心特性調整部材の一例を示す斜視図、（ｂ）は同重心特性調整部材をヘッド本体に固定した状態を示す概略断面図である。
【図４】（ａ）は重心特性調整部材の一例を示す斜視図、（ｂ）は同重心特性調整部材をヘッド本体に固定した状態を示す概略断面図である。
【図５】（ａ）は重心特性調整部材の一例を示す斜視図、（ｂ）は同重心特性調整部材をヘッド本体に固定した状態を示す概略断面図である。
【図６】固定部材（雄ネジ）の一例を示す斜視図である。
【図７】カバーの一例を示す斜視図である。
【図８】（ａ）、（ｂ）はそれぞれ重心特性調整部材の一例を示す平面図である。
【図９】重心特性調整部材の回転防止機構の一例を示す説明図である。
【図１０】ヘッド本体のソール部に設けられた凹部の裏面にリブを形成したゴルフクラブヘッドを示す一部切り欠き斜視図である。
【発明を実施するための形態】
【００１３】
以下、本発明につき図面を参照して詳しく説明する。図１、図２は本発明に係るゴルフクラブヘッドの一実施形態を示すもので、図１はソール側から見た底面図、図２は図１Ａ−Ａ線に沿った断面図である。
【００１４】
本例のゴルフクラブヘッド１０において、１２はヘッド本体を示す。ヘッド本体１２は、中空部１４を有するもので、ソール部に略円形の凹部１６が設けられている。また、ヘッド本体１２の凹部１６の中央部には、孔状の雌ネジ部１８が形成されている。ヘッド本体の材質に限定はなく、例えば、チタン、チタン合金、ステンレス鋼、アルミニウム、アルミニウム合金、ベリリウム銅合金、マグネシウム合金等の金属や、繊維強化樹脂などを使って形成することができる。
【００１５】
図中２０は、ヘッド本体１２の凹部１６内に配置された重心特性調整部材を示す。重心特性調整部材２０は、ヘッド本体１２の凹部１６の中央部と周壁部２２の一部との間に配置された略扇形の板状のもので、ヘッド本体１２の凹部１６の中央部に対応する箇所にネジ挿入穴２４を有する。重心特性調整部材の材質に限定はなく、例えば、タングステン、タングステン合金、ステンレス鋼、アルミニウム、アルミニウム合金等の金属や、ポリエステル、ナイロン等のプラスチックによって形成することができる。ウエイト部材の比重は、０．９〜１９．３であることが適当である。
【００１６】
重心特性調整部材２０としては、例えば、図３〜図５に示すものを用いることができる。なお、図３（ｂ）、図４（ｂ）、図５（ｂ）では、後述するカバーの図示を省略してある。図３の重心特性調整部材２０は、ネジ挿入穴２４の周囲に円形リング状の凸部が形成され、この凸部２６の表面をヘッド本体１２の凹部１６の底面に当接させるもので、これにより凹部１６の底面が多少湾曲していても、重心特性調整部材２０をヘッド本体１２に確実に取り付けることができるとともに、重心特性調整部材２０の先端側の扇形部分が凹部１６の底面と接触していないので、重心特性調整部材２０をスムーズに回転させることができるという利点が得られる。図４の重心特性調整部材２０は、先端側に扇形の凹部２８が形成され、この凹部２８の底面をヘッド本体１２の凹部１６の底面に当接させるもので、これにより凹部１６の底面が多少湾曲していても、重心特性調整部材２０をヘッド本体１２に確実に取り付けることができるという利点が得られる。なお、図４の重心特性調整部材２０をヘッド本体１２に取り付ける場合、重心特性調整部材２０と凹部１６の底面との間にワッシャー３１を配置することにより、重心特性調整部材２０の基端側と凹部１６の底面とを平行にすることができる。図５の重心特性調整部材２０は、全体が平板状に形成され、重心特性調整部材２０の表面全体をヘッド本体１２の凹部１６の底面に当接させるもので、これにより凹部１６の底面との接触面積が大きくなるので、重心特性調整部材２０をヘッド本体１２に確実に取り付けることができるという利点が得られる。
【００１７】
図中３０は、重心特性調整部材２０を任意の回転位置でヘッド本体１２に固定する固定部材を示す。本例の固定部材３０は、図６に示すように、頭部３２と軸部３４を有し、軸部３４の外周にネジ山が形成された雄ネジである。雄ネジの材質に限定はなく、例えば、ステンレス鋼、アルミニウム、アルミニウム合金、チタン、チタン合金、マグネシウム合金等の金属や、ポリエステル、ナイロン等のプラスチックによって形成することができる。
【００１８】
図中３６は、雄ネジ３０の頭部３２と重心特性調整部材２０との間に配置されたカバーを示す。本例のカバー３６は、図７に示すように、中央部にネジ挿入穴３８が形成された略円形リング状の基板４０の片面に凸部４２が形成されたものである。カバー３６は、打撃衝撃による重心特性調整部材２０の回転を防ぐという役割を果たす。カバーの材質に限定はなく、例えば、ステンレス鋼、アルミニウム、アルミニウム合金、チタン、チタン合金、マグネシウム合金等の金属や、ポリエステル、ナイロン等のプラスチックによって形成することができる。
【００１９】
本実施形態では、重心特性調整部材２０をヘッド本体１２の凹部１６内に配置し、さらに重心特性調整部材２０の上にカバー３６を配置した後、雄ネジ３０の軸部３４をカバー３６のネジ挿入穴３８および重心特性調整部材２０のネジ挿入穴２４に順次通し、雄ネジ３０の頭部３２を工具で回して軸部３４を雌ネジ部１８に螺合することにより、重心特性調整部材２０を任意の回転位置でヘッド本体１２に固定することができる。
【００２０】
なお、本発明のゴルフクラブヘッドは上述した実施形態に限定されるものではなく、本発明の要旨を逸脱しない範囲で種々の変更が可能である。例えば、下記（ア）〜（ウ）に示す構成とすることができる。
【００２１】
（ア）重心特性調整部材の形状に限定はなく、例えば図８（ａ）に示す重心特性調整部材５０のように長方形状としたり、図８（ｂ）に示す重心特性調整部材５２のように楕円形状としたりするなど、任意の形状とすることができる。
【００２２】
（イ）図９に示すように、ヘッド本体６８に設けられた係合溝７０および重心特性調整部材７２に設けられた上記係合溝７０と係合する突起７４により、ヘッド本体６８に固定した重心特性調整部材７２の回転防止機構が形成されている構成とすることができる。この場合、ヘッド本体６８に突起を設け、重心特性調整部材７２に上記突起と係合する係合溝を設けてもよい。また、突起および係合溝の数は適宜設定することができる。
【００２３】
（ウ）図１０に示すように、ヘッド本体７６のソール部に設けられた凹部７８の裏面（中空部側の面）に適宜形状のリブ８０が設けられている構成とすることができる。
【符号の説明】
【００２４】
１０  ゴルフクラブヘッド
１２  ヘッド本体
１４  中空部
１６  凹部
１８  雌ネジ部
２０  重心特性調整部材
２２  周壁部
２４  ネジ挿入穴
３０  固定部材（雄ネジ）
３２  頭部
３４  軸部
３６  カバー
５０  重心特性調整部材
５２  重心特性調整部材
６８  重心特性調整部材
７０  突起
７２  ヘッド本体
７４  係合溝
７６  ヘッド本体
７８  凹部
８０  リブ
【図１】
2011005167.tif 000003
【図２】
2011005167.tif 000004
【図３】
2011005167.tif 000005
【図４】
2011005167.tif 000006
【図５】
2011005167.tif 000007
【図６】
2011005167.tif 000008
【図７】
2011005167.tif 000009
【図８】
2011005167.tif 000010
【図９】
2011005167.tif 000011
【図１０】
2011005167.tif 000012